(57)【要約】【課題】  本発明は、脱ぎ置かれた作業者の靴によって、建物への出入りがしにくくなるという問題を緩和することができ、ＡＬＣパネルのように粘着テープが貼り付けられない材質で床面が構成されていても、床の保護を容易に行うことができる仮設床を提供することを目的とする。【解決方法】  本発明によれば、建物の玄関ホール部の床面より低い床面を有する玄関土間部に設置される仮設床であって、上面が前記玄関ホール部の床面とほぼ段差なく連続し、内部に靴収納空間が形成されたことを特徴とする仮設床が提供される。【選択図】図１
2013007195.tif 000002
【特許請求の範囲】
【請求項１】
建物の玄関ホール部の床面より低い床面を有する玄関土間部に設置される仮設床であって、
上面が前記玄関ホール部の床面とほぼ段差なく連続し、内部に靴収納空間が形成されたことを特徴とする仮設床。
【請求項２】
側面に靴出し入れ用の開口を持つことを特徴とする請求項１に記載の仮設床。
【請求項３】
前記仮設床は、複数の仮設床ユニットが連結されて構成されたことを特徴とする請求項１又は２に記載の仮設床。
【請求項４】
前記仮設床ユニットは、前記仮設床の上面を形成する床板部と、該床板部を支持する脚部とからなり、該脚部が、前記床板部に対して折りたたみあるいは着脱自在であることを特徴とする請求項１ないし３に記載の仮設床。
【請求項５】
前記玄関ホール部の床がＡＬＣパネルからなり、建物の仕上げ工程が施される前の状態において仮設されることを特徴とする請求項１ないし４に記載の仮設床。
【発明の詳細な説明】
【技術分野】
【０００１】
本発明は、住宅等の建物の建築工事中に玄関土間部に形成される仮設床に関するものである。
【背景技術】
【０００２】
従来、住宅等の靴を脱いで入室する建物の建築工事において、躯体が完成し内部の木工事が開始されると、仕上げが施される前の下地の状態であっても、床の汚れや傷みを防止するために、玄関土間より先の空間は土足厳禁とし上履きに履き替えるようにするのが一般的である。
【０００３】
躯体が完成し建物内部が外壁で囲まれた後は作業者の出入りは玄関に限定される。なお、出入りに掃き出し窓を利用することも考えられるが、周囲の地面との高低差が大きく、靴の履き替えの場所もなく不便である。
【０００４】
また、木工事と併行して、給排水工事や電気工事などが行われることもあり、そのような場合、多くの作業者の靴が狭い玄関土間に脱ぎ置かれることになり、出入りの邪魔になるという問題がある。
【０００５】
また、玄関土間に面する部分は玄関框が取り付けられるまでの間、床の端面（小口）がむき出しの状態となり、作業者の出入りや資材の搬入出の際に傷むため、養生（保護）をする必要がある。特に、ＡＬＣパネルを床下地とする場合、ＡＬＣパネルの端部が欠けやすいので養生が重要となるが、ＡＬＣパネルには粘着テープなどで簡易に養生材を固定することができないため、手間がかかるという問題がある。
【０００６】
特許文献１には、階段等の床の段差用養生材が開示されている。このような段差用養生材により、端面の養生をすることは可能であるが、床の領域に比べて小さな養生材を用いると上面保護部の厚み分の段差が形成されてつまずき等の原因となる。また、このような養生材では、脱ぎ置かれる靴が出入りの邪魔になるという問題は解消しない。
【先行技術文献】
【特許文献】
【０００７】
【特許文献１】特開２００４−２１１３３３号公報
【発明の概要】
【発明が解決しようとする課題】
【０００８】
本発明は、このような従来技術の有する課題に鑑みてなされたものであり、脱ぎ置かれた作業者の靴によって、建物への出入りがしにくくなるという問題を緩和することができ、特に、ＡＬＣパネルのように粘着テープが貼り付けられない材質で床面が構成されていても、床の保護を容易に行うことができる仮設床を提供することを目的とするものである。
【課題を解決するための手段】
【０００９】
本発明によれば、建物の玄関ホール部の床面より低い床面を有する玄関土間部に設置される仮設床であって、上面が前記玄関ホール部の床面とほぼ段差なく連続し、内部に靴収納空間が形成されたことを特徴とする仮設床が提供される。
【００１０】
上記構成からなる仮設床は、仮設床に靴収納空間が形成されているので、作業者の靴が広範囲にわたって脱ぎ置かれて出入りに支障を来たすことを抑制できる。また、仮設床の床板が玄関ホールの床と同一高さとなるように仮設されることで、段差のない安全な仮設床とすることができる。
【００１１】
本発明の一態様によれば、上記仮設床は、側面に靴出し入れ用の開口を持つ。これにより、作業者の靴の出し入れを効率的に行うことができる。
【００１２】
また本発明の一態様によれば、上記仮設床は、複数の仮設床ユニットが連結されて構成される。複数の仮設床ユニットを連結して構成することで、強度が増し、運搬にも都合がよい。
【００１３】
本発明の一態様によれば、上記仮設床は、前記仮設床の上面を形成する床板部と、該床板部を支持する脚部とからなり、該脚部が、前記床板部に対して折りたたみあるいは着脱自在である。脚部を折りたたみ自在または着脱自在とすることで、仮設床ユニットの運搬や保管の際にかさばらなくすることができる。
【００１４】
本発明の一態様によれば、上記仮設床は、前記玄関ホール部の床がＡＬＣパネルからなり、建物の仕上げ工程が施される前の状態において仮設される。玄関ホールの床が、欠けやすく粘着テープも効かないＡＬＣパネルからなる場合、保護効果が極めて高い。
【発明の効果】
【００１５】
本発明によれば、脱ぎ置かれた作業者の靴によって、建物への出入りがしにくくなるという問題を緩和することができ、特に、ＡＬＣパネルのように粘着テープが貼り付けられない材質で床面が構成されていても、床の保護を容易に行うことができる仮設床が提供される。
【図面の簡単な説明】
【００１６】
【図１】本発明の一実施形態に係る仮設床の概略図である。
【図２】本発明の一実施形態に係る仮設床ユニットの斜視図である。
【図３】本発明の一実施形態に係る仮設床の側面図である。
【図４】本発明の一実施形態に係る仮設床の断面図である。
【符号の説明】
【００１７】
Ａ    仮設床
１    室内部
１ａ  玄関ホール部
１ｂ  居室部
２  ＡＬＣパネル
３    玄関土間部
４    土間コンクリート
５    仮設床ユニット
５Ａ  端部用仮設床ユニット
５Ｂ  中間部用仮設床ユニット
５ａ  床板部
５ｂ  脚部
５ｃ  棚板部
５ｄ  背板部
６    隙間閉塞材
７    外壁パネル
８    布基礎
Ｗ    仮設床ユニットの幅寸法
Ｈ    仮設床ユニットの高さ寸法
Ｍ    モジュール
Ｄ    基礎幅
【発明を実施するための形態】
【００１８】
以下に、実施形態に基づいて、本発明に係る仮設床について説明するが、これらの実施形態は本発明の理解を助けるために記載するものであって、本発明を記載された実施形態に限定するものではない。
【００１９】
［建物の構成］
本実施形態に係る建物は、３０５ｍｍの平面モジュールＭを有する工業化住宅である。本建物は図１に示すように、靴を脱いで使用される玄関ホール部１ａと居室部１ｂを含む室内部１と、土足で使用される玄関土間部３を有している。
【００２０】
室内部１の床の完成状態での層構成は、下方から順に、布基礎８天端に載置されたＡＬＣパネル２、断熱パネル、構造用合板、フローリングとなる。
【００２１】
玄関土間部３は室内部１より低い床面を有し、玄関土間部３の完成状態での床の層構成は、下方から順に、土間コンクリート４、モルタル、タイルとなる。
玄関土間部３は布基礎８に囲まれ、相対する布基礎８の間隔（中心間の間隔）は奥行方向・間口方向ともにＭの整数倍（この例ではともに６倍＝１８３０ｍｍ）である。布基礎８の幅Ｄは１６０ｍｍに統一されており、相対する布基礎８間の内法寸法は、１６７０ｍｍとなる。
【００２２】
内部の木工事の進捗に従って、玄関土間部３と玄関ホール部１ａとの境界辺（図１における上辺）に沿って玄関框が取り付けられ、玄関土間部３と居室部１ｂとの境界辺（図１における右辺）に沿って間仕切り壁が立ち上げられる。
【００２３】
［仮設床の構成］
図１又は図３に示すように、仮設床Ａは、上記構成の建物において、玄関土間部３に土間コンクリート４が打設され、室内部１にＡＬＣパネル２が敷設された後、玄関土間部３に仮設される。
【００２４】
仮設床Ａは、図２に示す複数の仮設床ユニット５を、玄関土間部３と玄関ホール部１ａとの境界辺及び玄関土間部３と居室部１ｂとの境界辺に沿って、平面視Ｌ字状に配置することで構成されている。
【００２５】
仮設床ユニット５としては、幅寸法Ｗ１を有する端部用仮設ユニット５Ａと、幅寸法Ｗ２、Ｗ３を有する中間部用仮設床ユニット５Ｂ、５Ｃの３種類が設定されている。
Ｗ１＝Ｍ×２−（Ｄ／２）
Ｗ２＝Ｍ×２
Ｗ３＝Ｍ×１
【００２６】
上記仮設床ユニットを組み合わせることによって、様々な大きさの玄関土間部に対応することが可能であり、本実施例においては、玄関土間部３と玄関ホール部１ａとの境界辺側については、２つの端部用仮設ユニット５Ａと１つの中間部用仮設ユニット５Ｂを用いて対向する布基礎８の間にほぼ隙間なく配置されている。また、玄関土間部３と居室部１ｂとの境界辺側については、２つの中間部ユニット５Ｂが用いられている。
【００２７】
各仮設床ユニット５の高さ寸法Ｈは、図３に示すように、玄関土間部３の土間コンクリート４の上面から、室内部１のＡＬＣパネル２の上面までの寸法に対応している。また、仮設床ユニット５の奥行寸法Ｄは、特に限定されないが例えば収容される靴の長さに対応させて３０ｃｍ程度に設定することができる。
【００２８】
各仮設床ユニット５は、図２に示すように、床板部５ａ、脚部（側板部）５ｂ、棚板部５ｃ、背板部５ｄからなる。
【００２９】
脚部５ｂは床板部５ａに対し着脱自在な板状の材料で、床板部５ａに対しビスを用いて、或いは上端を床板部５ａの底面に形成された溝に嵌合することで、床板部５ａに固定されている。棚板部５ｃは脚部５ｂに取り付けられた桟材、ダボ等により支持されている。背板部５ｄを脚部５ｂの背面側の端面にビス止めすることや、背板部５ｄに脚部５ｂの背面側の端縁部と嵌合される溝を設け脚部５ｂの背面側の端縁部を背板部５ｄの溝に嵌合することで、２つの脚部５ｂがハの字に広がることが防止される。
【００３０】
ＡＬＣパネル２と仮設床Ａとの間に形成される隙間には、作業者のつまずき防止のため、隙間を閉塞する隙間閉塞材６が設置される（図４）。
【００３１】
上記構成の仮設床Ａを仮設し、作業者の靴を靴収納空間に収納することによって、脱ぎ置かれた作業者の靴によって、建物への出入りがしにくくなるという問題を緩和することができ、ＡＬＣパネルのように粘着テープが貼り付けられない材質で床面が構成されていても、床の保護を容易に行うことができる。
【００３２】
［他の実施形態］
上記実施形態では、仮設床Ａは平面視Ｌ字状に配置されているが（図１）、仮設床Ａの構成はこれに限定されるものではない。即ち、玄関ホール部１ａと仮設床Ａとが連続してさえいれば、Ｉ字、コ字状、ニ字状等に配置しても構わない。
【００３３】
また、仮設床ユニット５において、板状の脚部５ｂと床板部５ａとを蝶番を介して連結し、運搬時や収納時に折りたためるように構成してもよい。
【００３４】
また、脚部５ｂを複数（例えば２本）の棒状部材で構成することも可能である。この場合、脚部５ｂの上端から突出した雄ネジを床板部５ａに埋め込まれた雌ネジにねじ入れるように構成することで、着脱自在とすることができ、背板部を省略することもできる。
【００３５】
また、仮設床ユニット５の玄関土間部３側に開口を設けずに、床板部５ａを跳ね上げ自在または着脱自在として、仮設床ユニット５の上面から靴を出し入れするように構成してもよい。
【００３６】
また、玄関土間部３はタイル等で仕上げる前の土間コンクリート４が打設された状態では不陸が多いので、不陸の影響を受けにくくするために、脚部５ｂを、玄関土間部３とは面や線ではなく複数の点で接するようにする（例えば、脚部５ｂの両端を下方に突出させて（逆凹字状にする）、この突出部のみで玄関土間部３に接するようにする）こともできる。
【００３７】
また、脚部５ｂには高さ調整機能を備える（例えば、前記突出部をねじ込み式として、ねじ込み量の調整によって高さ調整ができる）ようにしてもよい。このように構成することで、工事の進捗によって、玄関土間部３と玄関ホール部１ａの床面の高低差が変化するが、脚部５ｂに高さ調整機能を備えた場合、高低差の変化に対応させることができる。
【００３８】
また、ずれ防止のために各仮設床ユニット５同士を、固定金具で互いに固定してもよい。
【図１】
2013007195.tif 000003
【図２】
2013007195.tif 000004
【図３】
2013007195.tif 000005
【図４】
2013007195.tif 000006